(57)【特許請求の範囲】
【請求項１】
連結チューブを通じて負圧源と連通されるニップルを具備して、下部が開放された円筒形状を有する桶体と、前記桶体の下端から円周方向に第１肌密着部、第２肌密着部及び第３肌密着部が互いに間隔を置いて構成されたマッサージコップであって、
前記第１肌密着部、前記第２肌密着部、及び前記第３肌密着部は、
高さが外側の前記第１肌密着部から内側の前記第２肌密着部と前記第３肌密着部の順で順次に低くなる段差を有して、
前記第１肌密着部は閉ループ形状であり、
前記第２肌密着部及び前記第３肌密着部は、所定間隔で配置された複数の円弧形状の部材を含み、
前記第２肌密着部と前記第３肌密着部の円弧形状の部材の離隔間隔は、前記第１肌密着部の閉ループの円の中心点を基準として相互間に重ならないようにする角度に位置されることを特徴とするマッサージコップ。
【発明の詳細な説明】
【技術分野】
【０００１】
本発明は、マッサージ装置及びマッサージ装置用二重構造のマッサージコップに関するものであり、特に、屈曲になったマッサージ部位を移動する場合にもこれに対応して易しく真空が漏れないように段差を有する二重コップ構造を有しながら二重コップが一つの桶体で形成されて、製造が容易で分解及び組み立てが必要ないために洗滌及び消毒が完全になされることができるマッサージ装置用二重構造のマッサージコップ及びマッサージ装置に関するものである。
【背景技術】
【０００２】
一般に、附缸(プハン)器を利用した治療療法は、真空精血療法、血液浄化及び体質改善に使用される漢方治療療法で、治療しようとする患部に附缸コップを伏せておいて空気を吸いこむことができる吸入装置を利用して附缸コップ内部の空気を抜き取って真空状態を作ってくれることで、施術部位の肌一部が附缸コップの内部に吸入されて筋肉が解けて神経が安定して、肌の汗腺が開くようになって、その汗腺を通じて毛細管に存在する人体内の老廃物や、その他毒素などが流出されて血管内の血液が円滑にできるようにすることはもちろん、凝血された血又は膿などを抜き出すのに使用されるものである。
【０００３】
このような附缸器を利用した治療療法は、大きく二つで分けることができるが、その一つは所定量の燃焼物質を附缸コップの内部に振り撤いて、これを一定時間燃消させる方式を通じて、その内部を真空で形成させて附缸コップを人体に付着するものがあって、もう一つは吸入器又は吸入ポンプを利用して附缸コップ内部の空気を抜き出す動作を通じて真空で形成させて人体に付着するものがある。
【０００４】
このように今まで普遍的に使用されている附缸器は、コップ模様の附缸コップを形成して、この附缸コップを別途の真空吸入装置と連結して前記附缸コップを人体肌に接触して、前記吸入装置を作動することで附缸器内部の圧力を低下させるか、又は前記附缸コップのみで構成して、人体の肌に接触させた後附缸コップの内部に灸を据えるか、又は前記附缸コップに手動式ポンプを設置して、手動で附缸コップ内部の空気を抜き取って附缸コップの内部を真空(低圧)状態に変化させることで、人体に附缸施術をするものである。
【０００５】
しかし、このような附缸器は、単純な負圧を利用して老廃物や血液を体外に抜き取る形態の単純な附缸施術機能を遂行して、吸入圧の調節が難しくて肌組織に無理を与えるようになるので、肌管理に応用しにくい問題点がある。
【０００６】
このような問題を解決するために、韓国実用新案登録公報第３１７７６３号には、エア圧を発生させる本体と連結された単一の円筒状附缸コップを具備して、附缸コップ内の正圧と負圧の圧力変化を多様に調節して、その繰り返し回数及び全体的な時間などをモード別にあらかじめ設定して使用することで肌をマッサージすることができる肌マッサージ器が開示されたことがある。
【０００７】
ところが、このような従来の附缸を利用した肌マッサージ器は、多様な曲率で屈曲になった身体の多くの部位に附缸コップを移動させながらマッサージを行うことが易しくなかった。
【０００８】
また、韓国実用新案登録第３１３７７５号には、圧着力の上昇をはかるために二重圧着板が形成された附缸器が提案されているが、マッサージのために移動がなされる場合に設定された負圧が割れる構造を有している。すなわち、前記先登録考案は、附缸器を移動させながらマッサージを行う時、肌に持続的な負圧が印加されることができない構造である。
【０００９】
さらに、韓国実用新案登録第１９１６１５号には、附缸器に強い負圧を印加する場合外部の患部が容器内部に吸い込まれながら発生される圧痛を節減するために容器下端にリング形状の複数の小突起が一体で形成された構造を提案している。しかし、このような微細な間隔を置いて同一レベルで設定された複数のリング形状小突起は、顔部位のように屈曲になった部分を移動しながらマッサージする場合複数のリング形状の小突起が屈曲になった顔部分に対応しにくいために易しく真空が割れる問題を抱いている。
【００１０】
一方、本出願人は、前記した従来技術の問題点を考慮して特許第８５６７６１号を通じて二重コップ構造を有する負圧を利用した肌老廃物除去用肌マッサージ器を提案した。前記先登録特許は、二重附缸コップを使用して多様な身体部位に適用可能なマッサージ器を開示しているし、これを図１及び図２を参考して説明する。
【００１１】
図１は、従来の二重附缸コップを見せてくれる断面図であり、図２は図１に表示されたiii部分を示す拡大図である。
【００１２】
図１を参考すると、附缸コップ２００は連結チューブ１７０を通じて真空ポンプ(図示せず)と一側が連結されたバルブユニット２１０と、上端にバルブユニット２１０の他側が連通可能に結合されて、お互いに間隙(Ｓ２)を維持しながら重畳設置される外側コップ２３０及び内側コップ２５０を含む。
【００１３】
バルブユニット２１０は、バルブハウジング２１１、キャップ２１３、バルブ２１５、可動ステム２１７及びリターンスプリング２１９を含む。
【００１４】
先登録特許第８５６７６１号のマッサージ器は、単一の附缸コップ２００を使用して、使用時は真空吸入装置の圧力選択スイッチを操作してマッサージ部位に好適な願う負圧を選択した状態で附缸コップをマッサージする肌に沿って移動させながら使用することができる。この場合、先登録特許の附缸コップ２００は、二重コップ構造として下端部に軟質の第１及び第２パッキング２３１、２４０が肌に密着されるので、易しく負圧状態が割れない構造を有している。
【００１５】
また、先登録特許は、附缸コップ２００に対する真空吸入装置の負圧をとり除けば、リターンスプリング２１９に連結バルブ２１５が復帰して負圧状態を維持するようになって、さらに連結チューブ１７０をキャップ２１３から分離して把持部２１７ｃを引っぱれば、内側コップ２５０と外側コップ２３０との内部が順次に気密が解除されて肌から分離がなされる。
【００１６】
しかし、前記附缸コップは、上側に構造が複雑なバルブユニットを具備しているし、バルブユニットの外周に外/内側コップの上側が結合されて、これらの中間に間隔を維持するスペーサーが挿入されていて、組み立て工程が単純ではなくて、複数の部品で構成されていて耐久性及び製造原価が高い問題がある。
【００１７】
また、先登録特許は肌老廃物除去用としては好適であるが、血液循環などのための指圧効果は得られることができない構造を有している。
【００１８】
さらに、前記二重附缸コップは、洗滌及び衛生消毒を経った後再使用がなされることが望ましいが、前記二重附缸コップは内部にバルブを含むので構造が複雑で使用者がこれを分解して組立てることが困って、洗滌及び消毒が完全になされにくい問題がある。
【００１９】
一方、韓国特許第４６１４６９号には、発熱手段が具備された温熱附缸器が開示されていて、韓国特許第８４１０１９号には温熱附缸器及びこれを利用した附缸装置が開示されている。
【００２０】
前記韓国の先登録特許第４６１４６９号には、附缸器内周部にワイヤ形態の発熱手段を形成して附缸器内部の空気を加熱する技術を提案するものであり、韓国特許第８４１０１９号には附缸器外部にヒーターを設置して附缸器の内部に熱を伝達する技術を提案している。しかし、前記韓国の先登録特許第４６１４６９号は、製造工程が複雑で附缸コップの内部に熱線を付着しているために附缸コップを洗滌するか、又は消毒するのに困難があって耐久性が落ちて、韓国特許第８４１０１９号は附缸器の内部に熱伝達が効果的になされにくい構造を有している。
【発明の概要】
【発明が解決しようとする課題】
【００２１】
前記した従来の附缸コップを総合すると、構造が複雑で衛生的な洗滌とチープな価格で製造が難しい二重附缸コップであるか、又は単純な老廃物除去のみが可能な単一コップ構造の附缸コップを提案しているし、構造が単純でありながらも段差を有する二重構造を有する附缸コップ又は老廃物除去と共に指圧効果を同時に付与することができる附缸コップは提示されることができなかった。
【００２２】
したがって、本発明の目的は屈曲になったマッサージ部位を移動する場合にもこれに対応して易しく真空が漏れないように段差を有する二重コップ構造を有しながら二重コップが一つの桶体で形成されて製造が容易で分解及び組み立てが必要ないために洗滌及び消毒が完全になされることができるマッサージ装置用二重構造のマッサージコップを提供することにある。
【００２３】
本発明の他の目的は、少なくとも一つの閉ループ形状の肌密着部と肌密着部の内部又は外部に指圧効果を付与することができる複数の突起形態の肌密着部を具備したマッサージ装置用二重構造のマッサージコップを提供することにある。
【００２４】
本発明のまた他の目的は、把持部を具備して安定的に把持した状態で身体に沿って容易に移動させることができるマッサージコップを提供することにある。
【００２５】
このような目的を達成するための本発明の一様態によると、連結チューブを通じて負圧源と連通されるニップルを具備して、下部が開放された円筒形状の桶体と、及び前記桶体の下端から円柱方向に延長形成されて、少なくとも一つの閉ループ形状でなされた肌密着部を有する複数の肌密着部を含んで、前記複数の肌密着部は内側が外側より高い位置に設定されることを特徴とするマッサージ装置用二重構造のマッサージコップを提供する。
【課題を解決するための手段】
【００２６】
前記複数の肌密着部は、それぞれ閉ループ形状であることを特徴とする。
【００２７】
前記複数の肌密着部のうちで少なくとも一つは閉ループ形状で、残りは円柱方向に間隔を置いて配置される複数の半球型突起を有する。
【００２８】
前記複数の肌密着部は少なくとも一つは閉ループ形状で、残りは一部が開放された閉ループ形状であることを特徴とする。
【００２９】
前記複数の肌密着部は円形、三角形、四角形、多角形及び卵円形状のうちでいずれか一つであり、少なくとも一つは閉ループ形状で、残りは放射形パターンを有する。
【００３０】
前記閉ループ型肌密着部は三角形、五角形、多角形及び卵円形状のうちで一つであることを特徴とする。
【００３１】
前記桶体は、把持部をさらに含む。
【００３２】
前記ニップルは、桶体の上端又は側面に形成されることを特徴とする。
【００３３】
前記桶体の内部にインサートモールディングされたヒーティング素子をさらに含む。
【００３４】
前記桶体の上部に設置されてマッサージコップ内部に赤外線又は遠赤外線を放射するための赤外線又は遠赤外線ＬＥＤをさらに含む。
【００３５】
また、本発明のマッサージ装置は、真空ポンプ及びマニホールドを具備した真空ポンプモジュールと、前記マニホールドに連結された多数個のチェックバルブを含む負圧発生装置と、該負圧発生装置から負圧の提供を受ける複数のマッサージコップを含むマッサージ装置を提供する。
【００３６】
ここで、前記真空ポンプモジュールは、複数の連結チューブを通じて前記複数のチェックバルブにそれぞれ連結されるか、又は連結チューブを通じて直接マッサージコップに連結されることを特徴とする。
【００３７】
また、前記それぞれのチェックバルブは連結チューブを通じてマッサージコップに連結されることを特徴とする。
【発明の効果】
【００３８】
本発明は、わくが相互段差を有する二重構造のマッサージコップを単純構造で製作して洗滌及び消毒時に便利性を増大させて、併せて、肌接触部に複数の半球型突起を構成して、老廃物除去に指圧機能を追加することもできて、マッサージ効率を増大させることができる。
【図面の簡単な説明】
【００３９】
【図１】図１は従来の附缸コップを見せてくれる断面図である。
【図２】図２は図１に表示されたiii部分を示す拡大図である。
【図３】図３は本発明のマッサージコップが適用されたマッサージ装置の概略ブロック図である。
【図４】図４は本発明の第１実施例による二重コップ構造のマッサージコップを説明するための断面図である。
【図５ａ】図５ａは第１実施例のマッサージコップに採用可能な肌密着部の構造を示した底面図である。
【図５ｂ】図５ｂは第１実施例のマッサージコップに採用可能な肌密着部の構造を示した底面図である。
【図６】図６は本発明の第２実施例によるマッサージコップを説明するための断面図である。
【図７】図７は本発明の第２実施例によるマッサージコップを説明するための底面図である。
【図８】図８は本発明の第３実施例によるマッサージコップを説明するための断面図である。
【図９】図９は本発明の第３実施例によるマッサージコップを説明するための底面図である。
【図１０】図１０は本発明の第４実施例によるマッサージコップを説明するための断面図である。
【図１１】図１１は本発明の第４実施例によるマッサージコップを説明するための底面図である。
【図１２】図１２は本発明の第５実施例によるマッサージコップを説明するための断面図である。
【図１３ａ】図１３ａは第５実施例のマッサージコップに採用可能な肌密着部構造を示した底面図である。
【図１３ｂ】図１３ｂは第５実施例のマッサージコップに採用可能な肌密着部構造を示した底面図である。
【図１４ａ】図１４ａは第１及び第２実施例のマッサージコップに採用可能な肌密着部の底面図である。
【図１４ｂ】図１４ｂは第１及び第２実施例のマッサージコップに採用可能な肌密着部の底面図である。
【図１４ｃ】図１４ｃは第１及び第２実施例のマッサージコップに採用可能な肌密着部の底面図である。
【図１５ａ】図１５ａは第１及び第２実施例のマッサージコップに採用可能な肌密着部の構造を示した底面図である。
【図１５ｂ】図１５ｂは第１及び第２実施例のマッサージコップに採用可能な肌密着部の構造を示した底面図である。
【図１５ｃ】図１５ｃは第１及び第２実施例のマッサージコップに採用可能な肌密着部の構造を示した底面図である。
【図１５ｄ】図１５ｄは第１及び第２実施例のマッサージコップに採用可能な肌密着部の構造を示した底面図である。
【図１５ｅ】図１５ｅは第１及び第２実施例のマッサージコップに採用可能な肌密着部の構造を示した底面図である。
【図１６】図１６は第２実施例によるマッサージコップの把持部を付け加えた変形例を見せてくれる断面図である。
【図１７ａ】図１７ａは図１６の変形例に採用可能な把持部を見せてくれる平面図である。
【図１７ｂ】図１７ｂは図１６の変形例に採用可能な把持部を見せてくれる平面図である。
【図１７ｃ】図１７ｃは図１６の変形例に採用可能な把持部を見せてくれる平面図である。
【図１７ｄ】図１７ｄは図１６の変形例に採用可能な把持部を見せてくれる平面図である。
【図１７ｅ】図１７ｅは図１６の変形例に採用可能な把持部を見せてくれる平面図である。
【図１８】図１８は第３実施例によるマッサージコップの把持部を付加してニップルの位置を変更した変形例を見せてくれる断面図である。
【図１９ａ】図１９ａは図１８の変形例に採用可能な把持部とニップルを見せてくれる平面図である。
【図１９ｂ】図１９ｂは図１８の変形例に採用可能な把持部とニップルを見せてくれる平面図である。
【図１９ｃ】図１９ｃは図１８の変形例に採用可能な把持部とニップルを見せてくれる平面図である。
【図１９ｄ】図１９ｄは図１８の変形例に採用可能な把持部とニップルを見せてくれる平面図である。
【図１９ｅ】図１９ｅは図１８の変形例に採用可能な把持部とニップルを見せてくれる平面図である。
【図２０ａ】図２０ａは前述した実施例らのマッサージコップに肌密着部の断面図である。
【図２０ｂ】図２０ｂは前述した実施例らのマッサージコップに肌密着部の断面図である。
【図２０ｃ】図２０ｃは前述した実施例らのマッサージコップに肌密着部の断面図である。
【図２０ｄ】図２０ｄは前述した実施例らのマッサージコップに肌密着部の断面図である。
【図２１】図２１は本発明の第６実施例による二重構造のマッサージコップを説明するための断面図である。
【図２２】図２２は本発明の第６実施例による二重構造のマッサージコップを説明するための断面図である。
【発明を実施するための形態】
【００４０】
以下、添付した図面らを参照して本発明の望ましい実施例を詳しく記述することにする。
【００４１】
図３は、本発明のマッサージコップが適用されたマッサージ装置の概略ブロック図である。
【００４２】
図３を参考すると、マッサージ装置は、負圧発生装置１００と、負圧発生装置１００から負圧の提供を受ける複数のマッサージコップ１８０を含む。
【００４３】
負圧発生装置１００は、内部に真空ポンプ(図示せず)とマニホールド(図示せず)を具備した真空ポンプモジュール１３０とマニホールドに連結された多数個のチェックバルブ１５１、１５３を含む。真空ポンプモジュール１３０は、電源が印加されて真空ポンプに内蔵したモータが駆動されれば、例えば、-４０ｋｐａで負圧が設定される。この場合、前記真空ポンプに設定される負圧の大きさは、マッサージをしようとする部位のうちで一番大きい負圧が要求される部位の負圧と同一に設定される。
【００４４】
真空ポンプモジュール１３０は、複数の連結チューブ１４１、１４３を通じて複数のチェックバルブ１５１、１５３とそれぞれ連結されるか、又は連結チューブ１４５を通じて直接マッサージコップ１８０ｃに連結される。この時、各チェックバルブ１５１、１５３は、連結チューブ１６１、１６３を通じて各マッサージコップ１８０a、１８０ｂに連結される。
【００４５】
前記複数のチェックバルブ１５１、１５３は、本出願人によって先出願された韓国特許出願第２００９-０００５７２５号又は第２００９-０００５７２６号(２００９．１．２２)に提案された構造又は、これと同一な機能を有するチェックバルブを使用することができる。
【００４６】
ここで、負圧発生装置１００は、内部に真空ポンプを具備して電気を利用して真空圧を発生させる電動式装置外にも、手動方式で作動する周知されたどのような負圧発生装置を使用することも可能である。
【００４７】
真空ポンプモジュール１３０は、マッサージがなされる肌部位によってお互いに異なるように設定される負圧をそれぞれのチェックバルブ１５１、１５３を通じてマッサージコップ１８０a、１８０ｂに伝達するか、又は肌部位のうちで最大の負圧、例えば、-４０ｋｐａを利用する場合チェックバルブを使わないで連結チューブ１４５を通じて直接マッサージコップ１８０ｃに伝達する。
【００４８】
この時、複数のチェックバルブ１５１、１５３は、負圧に敏感な程度を考慮して顔、首及び腹などにあらかじめ設定したお互いに異なる負圧、例えば、-１５ｋｐａ、-２０ｋｐａ及び-３０ｋｐａの負圧が選択的に印加されるように設定される。複数のチェックバルブ１５１、１５３は、連結チューブ１６１、１６３を通じて複数のマッサージコップ１８０a、１８０ｂにそれぞれ連通される。
【００４９】
一方、チェックバルブがない連結チューブ１４５は、真空ポンプモジュール１３０の負圧をそのままマッサージコップ１８０ｃに印加する。
【００５０】
複数のチェックバルブ１５１、１５３は、マッサージコップ１８０a、１８０ｂを肌に密着させた状態で各マッサージコップ１８０a、１８０ｂ内部に各チェックバルブ１５１、１５３にあらかじめ設定された負圧に該当する負圧が形成されれば、真空ポンプモジュール１３０から提供される負圧を遮断するように閉鎖する役割をする。反対に、複数のチェックバルブ１５１、１５３は肌マッサージの途中に各マッサージコップ１８０a、１８０ｂと肌との間に形成された真空状態が除去されれば、真空ポンプモジュール１３０から各マッサージコップ１８０a、１８０ｂ内に負圧を提供することができる状態で開放がなされる。例えば、-１５ｋｐａで設定されたチェックバルブ１５１が肌マッサージ途中に各マッサージコップ１８０aと肌との間に形成された真空(負圧)状態が除去されて、待機状態又は-５ｋｐａのように設定された負圧(-１５ｋｐａ)より高い圧力がかかるようになればチェックバルブ１５１は開放状態になる。その後、使用者がマッサージコップ１８０aの先端部を再び肌に付着させて密閉させれば、チェックバルブ１５１は真空ポンプモジュール１３０から該当マッサージコップ１８０a内にあらかじめ設定された-１５ｋｐａの負圧が印加されることを検出して流路を遮断させて、あらかじめ設定された-１５ｋｐａの負圧状態を維持させる。
【００５１】
このように本発明に適用されたマッサージ装置は、複数のマッサージコップ１８０a、１８０ｂ、１８０ｃを通じてマッサージ部位別に適当な負圧を選択してマッサージを行うことができる。また、複数のマッサージコップ１８０a、１８０ｂ、１８０ｃを利用して同時に複数の人にマッサージを行うことももちろん可能である。
【００５２】
前記マッサージコップ１８０a、１８０ｂ、１８０ｃは、以下に説明する第１乃至第５実施例のように構成されることができるし、この場合マッサージコップは共通的に下端部が身体の屈曲に対応して密着されるように、内側が外側より高い位置に設定されて一体で形成された構成を有する。
【００５３】
また、本発明のマッサージコップは、少なくとも一つの閉ループ形状の肌密着部と肌密着部の内部又は外部に指圧効果を付与することができる複数の突起形態の肌密着部を具備することによって老廃物除去と共に指圧効果を付与することができる。
【００５４】
図４は、本発明の第１実施例によるマッサージコップを説明するための断面図であり、図５a及び図５ｂは、図４のマッサージコップに採用可能な肌密着部の構造を示した底面図である。
【００５５】
図４を参考すると、第１実施例によるマッサージコップ１８０はおおよそ下側が開放されて、内側に空間部１８３を有する桶体１８１と、桶体１８１上側に突出形成されて空間部１８３と連通結合されて、連結チューブを通じて負圧発生装置に連結されるニップル１８５と、桶体１８１の下側に桶体１８１の直径より大きく形成されたおおよそスカート形状の拡張部１８７を具備する。
【００５６】
拡張部１８７はお互いに異なる高さで段差を有するように形成された第１及び第２肌密着部１８７a、１８９を具備する。第１肌密着部１８７aは拡張部１８７下端に図５aの底面図のように、閉ループ(loop)形状でなされる。第２肌密着部１８９は第１肌密着部１８７aとの間に空間部１８８を有するように第１肌密着部１８７a内側に所定間隔を置いて配置されて、第１肌密着部１８７aと同様に閉ループ形状又は後述する図１１と類似に一部が開放された閉ループ形状でなされる。
【００５７】
一方、拡張部１８７下端の第２肌密着部１８９は、図５ｂの底面図に示されたところのように、お互いに間隔を置いて円柱方向に配置された複数の半球型突起１８９a形状でなされる。
【００５８】
前述した図５a及び図５ｂの底面図で見るところのように第２肌密着部１８９は、閉ループ形状や複数の半球型突起形状であることができるし、第１肌密着部１８７aとの間に空間部１８８を有するように形成する。
【００５９】
この場合、第１及び第２肌密着部１８７a、１８９は、身体の屈曲に対して自然に密着されて、肌に沿ってマッサージ時に肌が損傷されないように所定曲率を有するように形成される。
【００６０】
また、第２肌密着部１８９は、第１肌密着部１８７aのようにマッサージコップ１８０のおおよそ下方向に突出形成されて、この時、第１肌密着部１８７aが第２肌密着部１８９より所定長ささらに突出されることによって第１及び第２肌密着部１８７a、１８９の間に段差が形成される。
【００６１】
これによって、マッサージコップ１８０を肌に密着させた状態で負圧発生装置から連結チューブ１６０を通じてマッサージコップ１８０の内部１８３に所定負圧が印加されれば、第１及び第２肌密着部１８７a、１８９が順次に肌(Ｓ)に吸着されて、この場合、肌(Ｓ)は第１肌密着部１８７aと接触された部分(Ｃ１)が第２肌密着部１８９と接触された部分(Ｃ２)よりさらに多い膨張、すなわち圧迫刺激がなされる。さらに、第１及び第２肌密着部１８７a、１８９の間の空間部１８８には大気圧(Ｐ３)より低い第１負圧(Ｐ１)が形成されて、桶体１８１の内部１８３にはチェックバルブの設定負圧と同一な程度の第２負圧(Ｐ２)が形成される。すなわち、第２負圧(Ｐ２)は第１負圧(Ｐ１)よりさらに低い圧力で形成される。よって、第２負圧(Ｐ２)が第１負圧(Ｐ１)よりさらに低い圧力(高い真空度)で形成されるので、桶体１８１の内部１８３に位置したマッサージ部位が空間部１８８に位置したマッサージ部位よりさらに強い吸引力で脹れ上がるようになる。
【００６２】
この状態で身体のマッサージを、部位に沿ってマッサージコップ１８０を移動させながらマッサージを行うが、この時、第１肌密着部１８７aと肌との間で空気が流入されれば、空間部１８８の第１負圧(Ｐ１)が解除されて、空間部１８８は大気圧状態になる。しかし、桶体１８１の空間部１８３は、第１負圧(Ｐ１)の圧力変化にほとんど影響を受けないで第２負圧(Ｐ２)を維持した状態でマッサージを行うことができる。
【００６３】
その後、マッサージの途中に桶体１８１の空間部１８３に空気が流入されて、第２負圧(Ｐ２)も解除されて桶体１８１の空間部１８３が大気圧になって、チェックバルブは流路を開放する状態で設定される。その後、使用者が二重マッサージツールを肌に再び密着させればチェックバルブが再作動してマッサージコップ１８０内側に負圧が提供されて、チェックバルブで限定する負圧がマッサージコップ１８０内側に形成される。このようにマッサージコップ１８０の内部は、マッサージが進行される中にチェックバルブの作動によって負圧が持続的に維持されることができる。
【００６４】
一方、第１実施例で第２肌密着部１８９が複数の半球型突起１８９aでなされる場合、空間部１８８と内部空間部１８３は等しい負圧で設定される。よって、複数の半球型突起１８９aと接触がなされる複数のマッサージ部位は、マッサージコップ１８０内部に含まれた他の部位より相対的にさらに高い刺激(圧迫)が加えられるようになる。
【００６５】
また、この状態で使用者が隣接したマッサージ部位でマッサージコップ１８０をスライディングする場合、前記複数の半球型突起１８９aと圧迫接触がなされる複数のマッサージ部位も移動がなされながら、マッサージ部位に対する微細リンパ管を刺激するようになる。その結果、マッサージ部位に対する強い刺激(すなわち、指圧)がなされながら血液循環及びマッサージ効果を促進するようになる。
【００６６】
さらに、各種臓器と連結された数多くの神経が密集していて、人体の縮小版と呼ばれる手の平や足裏に強い負圧を印加した状態でマッサージがなされる場合各種臓器と連結された経穴点を刺激するようになって、臓器を活性化させる効果も得られるようになる。
【００６７】
以下に第２乃至第６実施例によるマッサージコップを説明し、この説明で前述した第１実施例で説明したことと同一構成に対しては同一動作を遂行するので変形された形状のみに対して手短に説明する。
【００６８】
図６及び図７は、本発明の第２実施例によるマッサージコップを説明するための断面図及び底面図である。
【００６９】
図６及び図７を見れば、第２実施例によるマッサージコップ２８０は第１実施例のマッサージコップ１８０と大部分同一な構成でなされて、単に、下端に半球型突起２８７aを有する拡張部２８７の高さが低く形成されて、空間部２８８の深さが第１実施例の空間部１８８より深くないために、主に背中や足のように屈曲がひどくない部位をマッサージすることに適している。
【００７０】
図６及び図７に記載した未説明符号２８１は桶体、２８３は桶体の空間部、２８５はニップルをそれぞれ示す。
【００７１】
図８及び図９は、本発明の第３実施例によるマッサージコップを説明するための断面図及び底面図である。
【００７２】
図８及び図９を参考すると、第３実施例によるマッサージコップ３８０は第２実施例のマッサージコップ２８０に比べて拡張部３８７の高さが高くなって深い二つの空間部３８８a、３８８ｂを形成して、閉ループ形状の第１乃至第３肌密着部３８７a、３８７ｂ、３８７ｃを形成する。第１肌密着部３８７aは最外側に閉ループ形状で配置されて、その内部に空間部３８８aを置いて、また一つの閉ループ形状の第２肌密着部３８７ｂを形成する。そして、最後に、第２肌密着部３８７ｂの内部に空間部３８８ｂを置いて、第３肌密着部３８７ｃを形成する。
【００７３】
ここで、第１乃至第３肌密着部３８７a、３８７ｂ、３８７ｃは、身体の屈曲に密着されるように下端の高さが内側に行くほど外側より漸次的に高い位置に設定されてお互いに段差を有することが望ましい。すなわち、拡張部３８７の高さが高く形成されて空間部３８８a、３８８ｂの深さが第２実施例の空間部２８８より深いために、屈曲がひどい部位をマッサージすることに適している。
【００７４】
しかし、前記第１乃至第３肌密着部３８７a、３８７ｂ、３８７ｃは、第２及び第３肌密着部３８７ｂ、３８７ｃの下端がお互いに同一なレベルで設定されて、第１肌密着部３８７aよりさらに高い位置に設定されるか、又は第１及び第２肌密着部３８７a、３８７ｂの下端がお互いに同一なレベルで設定されて、第３肌密着部３８７ｃよりさらに低い位置に設定されることも可能である。
【００７５】
また、前記第１乃至第３肌密着部３８７a、３８７ｂ、３８７ｃは、第１及び第３肌密着部３８７a、３８７ｃの下端がお互いに同一なレベルで設定されて、第２肌密着部３８７ｂよりさらに低いか、又は高い位置に設定されることも可能である。
【００７６】
図８及び図９に記載した未説明符号３８１は桶体、３８３は桶体の空間部、３８５はニップルをそれぞれ示す。
【００７７】
図１０及び図１１は、本発明の第４実施例によるマッサージコップを説明するための断面図及び底面図である。
【００７８】
図１０及び図１１を参考すると、第４実施例によるマッサージコップ４８０は、第３実施例のマッサージコップ３８０と大部分同一な構成でなされて、単に、第２及び第３肌密着部４８７ｂ、４８７ｃの一部が開放された閉ループ形状であることに差がある。よって、空間部４８８a、４８８ｂと共に開放された閉ループにも一部空間を形成することができる。
【００７９】
図１０及び図１１に記載した未説明符号４８１は桶体、４８３は桶体の空間部、４８５はニップルをそれぞれ示す。
【００８０】
前記した第４実施例のマッサージコップは、図５ｂに示された第１実施例と類似な作用がなされて、その結果肌に対する老廃物除去と共に指圧効果を得ることができるようになる。
【００８１】
図１２は、本発明の第５実施例によるマッサージコップを説明するための断面図である。
【００８２】
図１２を参考すると、第５実施例によるマッサージコップ５８０は第３実施例のマッサージコップ３８０と大部分同一な構成でなされて、単に、空間部５８２の空間が狭く形成される。
【００８３】
図１３aを見れば、第１肌密着部５８７aは閉ループ形状であり、空間部５８８aの間隔を置いて第２肌密着部５８７ｂも閉ループ形状であり、空間部５８８ｂの間隔を置いて第３肌密着部５８７ｃも閉ループ形状であることが分かる。
【００８４】
一方、下端に図１３ｂの底面図に示されたところのように、第２及び第３肌密着部５８７ｂ、５８７ｃはお互いに空間部５８８ｂを置いて円柱方向に配置された複数の半球型突起形状でなされることができる。
【００８５】
前述した図１３a及び図１３ｂの底面図で見るところのように第２及び第３肌密着部５８７ｂ、５８７ｃは、閉ループ形状であるか、又は複数の半球型突起形状であることができるし、相互空間部５８８ｂを有するように形成する。
【００８６】
図１２、図１３a及び図１３ｂに記載した未説明符号５８１は桶体、５８３は桶体の空間部、５８５はニップルをそれぞれ示す。
【００８７】
図１４a乃至図１４ｃは、第１及び第２実施例のマッサージコップに採用可能な肌密着部の構造を示した底面図である。
【００８８】
図１４a乃至図１４ｃで見るところのように第１及び第２肌密着部６８７a、６８７ｂは、前記した実施例で提示された円形リング形状以外にも三角、四角及び卵円形に製作されることができる。
【００８９】
図１５a乃至図１５eは、第１及び第２実施例のマッサージコップに採用可能な他の肌密着部構造を示した底面図である。
【００９０】
図１５a乃至図１５ｃで見るところのように外郭に配置された肌密着部６８７aは円形の閉ループ形状で形成して、内部の肌密着部６８７ｂは多様な形態の放射形パターンで具現されることができる。また、図１５ｄ及び図１５eのように、円形肌密着部の代りに外側の肌密着部６８７aは三角形と五角形又は四角形などの多角形、又は卵円形の閉ループ形状で形成して、内部の肌密着部６８７ｂは放射形パターンで具現可能であることが分かる。
【００９１】
図１６は、第２実施例によるマッサージコップに把持部を付け加えた変形例を見せてくれる断面図であり、図１７a乃至図１７eは、図１６の変形例に採用可能な把持部２８６の多様な形状を見せてくれる平面図である。
【００９２】
従来技術で提示した特許第８５６７６１号に開示されたマッサージコップでは、コップの外周にリング型ブラケットを結合して、リング型ブラケットに両側で連結バーと取っ手を形成した構造を提示しているが、このような構造は製造工程が複雑になって、製造費用が上昇される問題がある。
【００９３】
本発明ではこのような点を考慮して図１６のように、桶体２８１の上部に把持部２８６を一体で形成する。
【００９４】
前記把持部２８６は、図１７a乃至図１７eで見るところのように、卵円形、三角形、四角形、角がラウンド構造の四角形、円形などでなされることができるし、使用者の把持状態の便利性のための構造ならすべて可能である。
【００９５】
前記実施例では連結チューブが結合されるニップル２８５が外筒２８１の上部に配置されたものであるが、図１８に示されたところのように、外筒３８１の上部に把持部３８６を形成して、外筒３８１の上部に位置していたニップル３８５の位置を外筒３８１の側面に移動させて、マッサージコップの把持時に便利性を増大した例である。図１８のマッサージコップは第３実施例の構造を適用したものである。
【００９６】
図１９a乃至図１９eの平面図を参考すると、図１８の変形例に採用可能な把持部３８６は卵円形、三角形、四角形、多角形の角がラウンド構造の四角形、円形などでなされることができるし、使用者の把持状態の便利性のための構造ならすべて可能であることは自明である。
【００９７】
一方、前記実施例で提示されたマッサージコップの肌密着部は、先端部がラウンド形状でなされたものであるが、図２０a乃至図２０ｄのように変形が可能である。
【００９８】
図２０a乃至図２０ｄは、前述した実施例らのマッサージコップに肌密着部の変形例の断面図である。
【００９９】
まず、図２０aに示されたところのように肌密着部１９１は、例えば、内通又は外筒の内周面と外周面にすべて直角でなされる底面を有する場合、肌と接触する境界部が突出されていて、肌と平面接触が可能で刺激の強度を高くする時に使用することができる。
【０１００】
図２０ｂに示された形状の肌密着部１９２は、溝を有する二重リングの形状で肌と接触時に痛くないのに大きい圧力がかかって肌密着が可能である。
【０１０１】
図２０ｃに示された形状の肌密着部１９３は、半球形状で肌と接触する境界部の突出部分がなくて、接触面積が大きいために大きい圧力がかかって肌に密着が可能で、老廃物排出のための下マッサージに効果的であって、顔と背中のマッサージ時に使用することができる。
【０１０２】
図２０ｄに示された形状の肌密着部１９４は、くさび形状として肌と接触時に圧力は小さいが、刺激が大きいために手の平や足裏肌に指圧効果を狙うマッサージ時に好適な構造である。
【０１０３】
図２１及び図２２は、本発明の第６実施例による二重構造のマッサージコップを説明するための断面図である。
【０１０４】
図２１及び図２２に示されたところのように、第６実施例による二重構造のマッサージコップは、基本構造が第１実施例と同一であって、マッサージコップ内部にマッサージ部位を加熱すると共に赤外線又は遠赤外線を放射できるように構成した点で差がある。
【０１０５】
このために先ず、桶体１８１と拡張部１８７の内部にニクロム線のような線形でなされたニクロム線ヒーター４０１を使用するか、又はＦｅＣｒＡｌ合金又は非晶質金属薄板をスリッティングして形成される面状発熱ヒーター４０２がインサートモールディング方式で射出成形時に内部に挿入されている。
【０１０６】
前記ヒーター４０１、４０２に対する電源供給は、ヒーター４０１、４０２から桶体１８１の外部に引き出しされる電源端子(図示せず)に必要によって電源プラグを結合させて使用することができる。
【０１０７】
また、桶体１８１と拡張部１８７の内部には図２１のようにヒーター４０１、４０２によって加熱される場合遠赤外線を放出するセラミックス材料がコーティングされたセラミックスコーティング層４０３を形成するか、又は図２２のように桶体１８１の上部に電源が印加される時、赤外線又は遠赤外線を放出する赤外線又は遠赤外線ＬＥＤ４０４を設置することができる。
【０１０８】
したがって、ヒーター４０１、４０２に電源が印加される場合、二重マッサージコップ内部の空気が加熱されて、マッサージがなされる肌(Ｓ)に対する温度が上昇するので、円滑な血液循環と新陳代謝を促進させて血栓を溶解させることで附缸療法の効果を高めるようになって、また、セラミックスコーティング層４０３又は赤外線又は遠赤外線ＬＥＤ４０４から赤外線又は遠赤外線が放出されて附缸効果を強化する効果が得られる。
【０１０９】
前記した第６実施例は、第１実施例のマッサージコップに対して適用したものであるが、残り他の実施例に対しても同一な方式で適用されることができる。
【０１１０】
前記した実施例の説明では第１又は第２肌密着部が複数の半球型突起でなされたものを例示したが、半球型以外にも円錐状、角形など他の形状構造を有することができる。
【０１１１】
本発明のマッサージコップを使用する肌マッサージ装置は、負圧発生装置からマッサージ部位によってお互いに異なる負圧が印加される複数のマッサージコップを連結して使用することができるし、マッサージ部位又は用途によってマッサージコップの直径、肌密着部の形状を変更して適用可能である。
【産業上の利用可能性】
【０１１２】
以上説明したように、本発明によれば、わくが相互段差を有する二重構造のマッサージコップを単純構造で製作して洗滌及び消毒時に便利性を増大させて、併せて、肌接触部に複数の半球型突起を構成して、老廃物除去に指圧機能を追加することもできて、マッサージ効率を増大させることができる。
【図１】
0005555263.tif 000002
【図２】
0005555263.tif 000003
【図３】
0005555263.tif 000004
【図４】
0005555263.tif 000005
【図５ａ】
0005555263.tif 000006
【図５ｂ】
0005555263.tif 000007
【図６】
0005555263.tif 000008
【図７】
0005555263.tif 000009
【図８】
0005555263.tif 000010
【図９】
0005555263.tif 000011
【図１０】
0005555263.tif 000012
【図１１】
0005555263.tif 000013
【図１２】
0005555263.tif 000014
【図１３ａ】
0005555263.tif 000015
【図１３ｂ】
0005555263.tif 000016
【図１４ａ】
0005555263.tif 000017
【図１４ｂ】
0005555263.tif 000018
【図１４ｃ】
0005555263.tif 000019
【図１５ａ】
0005555263.tif 000020
【図１５ｂ】
0005555263.tif 000021
【図１５ｃ】
0005555263.tif 000022
【図１５ｄ】
0005555263.tif 000023
【図１５ｅ】
0005555263.tif 000024
【図１６】
0005555263.tif 000025
【図１７ａ】
0005555263.tif 000026
【図１７ｂ】
0005555263.tif 000027
【図１７ｃ】
0005555263.tif 000028
【図１７ｄ】
0005555263.tif 000029
【図１７ｅ】
0005555263.tif 000030
【図１８】
0005555263.tif 000031
【図１９ａ】
0005555263.tif 000032
【図１９ｂ】
0005555263.tif 000033
【図１９ｃ】
0005555263.tif 000034
【図１９ｄ】
0005555263.tif 000035
【図１９ｅ】
0005555263.tif 000036
【図２０ａ】
0005555263.tif 000037
【図２０ｂ】
0005555263.tif 000038
【図２０ｃ】
0005555263.tif 000039
【図２０ｄ】
0005555263.tif 000040
【図２１】
0005555263.tif 000041
【図２２】
0005555263.tif 000042